(57)【特許請求の範囲】
【請求項１】
背もたれ側の第２ブラケットを座席側の第１ブラケットからの軸に枢着し、第２ブラケットには、前記軸を中心とした半径上の内側に係止歯を有したセクターギヤを取付け、更に、該係止歯には対向させて、第１ブラケット側に設けた案内板で構成した案内溝に沿って誘導されて前記係止歯と係離させる係合歯を設けたロックプレートを設け、また、ロックプレートは、ロックプレートに沿わせた作動板と協動するカム体で押上げ、押下げで前記噛合いを解除させるようにして、ロックプレートでアジャスターするリクライニング装置において、前記ロックプレートには、案内溝内を通る軸を嵌める長孔を設けると共に、第１ブラケットには、前記案内溝の上部側に案内部材の一端を揺動可能に枢支する軸部を設け、更に案内部材は、前記作動板の先端側に設けたカム孔に連繋させ、作動板の揺動で、案内溝内にあるロックプレートの先端をロック時に、前記揺動する案内部材でロックプレートの側部を挾み込み、また挾み込み解除でロックの解除を行うようにしたことを特徴とするリクライニングアジャスター装置。
【発明の詳細な説明】
【０００１】
【発明の属する技術分野】
本発明は自動車用座席のリクライニング装置に関するものである。
【０００２】
【従来の技術】
自動車の座席のリクライニング装置は広く用いられ、該装置には内歯を備えたセクターギヤにロックギヤが係離する内歯式と、外歯を備えたセクターギヤに対する、一端を軸して揺動可能としたロックギヤで係脱する外歯式とがある。
【０００３】
例えば、背もたれに装着して回動する第２ブラケットを、座席に固定した第１ブラケットからの軸に回動自在に枢着し、更に、前記可動する第２ブラケットには、内側に係止歯を設けたセクターギヤを設け、更にこの係止歯と対向して、この係止歯と噛合う係合歯を備え、しかも後記作動板に設けたカム孔に嵌めるピンを植設したロックプレートを、座席に固定する第１ブラケット側の縁部の近くに固定した一対の案内板に移動可能に摺嵌させ、更にロックプレートからの前記ピンを、前記軸に嵌めた前記作動板に設けたカム孔に嵌め、作動板の作動でロックプレートを案内板に添って係止歯方向に移動して係止歯と係合歯を噛合せ、又は解除方向に移動を行わせて係止歯と係合歯の係離を行わせると同時に作動板側に設けたカム体でロックプレートを下部から押上げ噛合が外れないようにした内歯式のリクライニング装置が存在する。
【０００４】
【発明が解決しようとする課題】
前記内歯式リクライニング装置においては、第１ブラケット側の縁部近くに取付け固定した一対の案内板の間に、係合歯を備えたロックプレートを、対向する第２ブラケットに設けた内歯を備えたセクターに向けて進退可能に摺嵌移動させる構成となっている。従って、移動させる構成上ロックプレートと案内板との間に僅かの間隙が必要でこの間隙が背もたれの「ガタ」を生じさせる要因となり不都合があった。また、ロックプレートは案内板だけの短い長さの間で案内されるため強度的に問題があった。
【０００５】
【課題を解決するための手段】
本発明は斯様な実情に鑑み、この課題を解決するため、ロックプレートで第２ブラケットをアジャスターするようにしたリクライニング装置において、前記ロックプレートには、第１ブラケットの中央部に設けた案内溝内を通る軸を嵌める長孔と、先端に係合歯を備えて前記案内溝に摺嵌され、更に前記第１ブラケットには、前記案内溝の上部側に、前記ロックプレートのロック時に一端を揺動可能に枢支する軸部を設けて挾み込む案内部材を設け、更に案内部材は、前記軸に嵌まって揺動する作動板の先端側に設けたカム孔に連繋させ、作動板の揺動で、案内溝内にあるロックプレートの先端ロック時に、前記案内部材でロックプレートの側部を挾み込み、解除を行うことで、背もたれのガタを防止することで係止歯と係合歯の噛合いロックを確実に行い、更に強度を確保するようにしたリクライニングアジャスター装置を提供するものである。
【０００６】
【発明の実施の形態】
図は、本発明に係るリクライニング装置の最も好ましい実施例を示したもので、以下図に基づいて具体的に説明する。
【０００７】
１は第１ブラケットで、該第１ブラケット１は、例えばシート側に固定してある固定ブラケットＡに取付けるようになっている。
【０００８】
更に、第１ブラケット１には略中央部に軸孔１ａを設け、この軸孔１ａでフランジ２ａとカシメ等で一端を固定し、先端に割溝２ｂを設けて横方向に張出させた軸２を設ける。また、第１ブラケット１には、前記軸２を間にして内壁に段部３ａを有した案内溝３を設け、この案内溝３内には、前記軸２を嵌める長孔４ａと先端に、係合歯４ｂを設けると共に、前記案内溝３内の段部３ａと係止する段部４ｅを備えたロックプレート４を移動可能に摺嵌して案内するようにしてある。更に、ロックプレート４には、後記作動板５と一体になって前記軸２に摺嵌したカム体６に設けた押上げカム部６ａと押下げカム部６ｂで作動する隆出させた受片４ｃと、ロックプレート４を押し下げる時に用いるピン４ｄを突出させて設けてある。
【０００９】
また前記カム体６を一体にした前記作動板５の内側は、前記ロックプレート４に沿うように重ねて設けると共に外側には背もたれブラケットＢに取付けられた第２ブラケット９を重ねるようにして位置させる。更に、第２ブラケット９には、ロックプレート４に設けた係合歯４ｂを係合させるように対応させた係止歯７ａを内側に設けたセクターギヤ７を段付ピン８により取付けてある。
【００１０】
前記係止歯７ａは、前記軸２を中心とした半径上の第１ブラケット１の外周に沿わせるようにして配装されている。
【００１１】
また、第２ブラケット９には軸孔９ａを有し、該軸孔９ａは前記軸２に挿嵌して軸２を中心に第２ブラケット９を介して背もたれを揺動可能にしてある。
【００１２】
前記第２ブラケット９の前記軸孔９ａにはフランジ部を設けて、このフランジ部には、作動板５の下部側に設けた係合孔５ａに嵌合させる折曲げ係止片１０ａを備えた操作板１０を第２ブラケット９の軸孔９ａのフランジ部を中心に動作そて、作動板５と一体としたカム体６に動作をあたえるようにする。
【００１３】
更に前記操作板１０には、一体の操作レバー１０ｂを設け、しかも前記軸２の割溝２ｂに一端を係止した第１渦巻バネ１１の他端を係止し、第１渦巻バネ１１の作用で作動板５を介してロックプレート４を常にセクターギヤ７と係合状態を保持させる。
【００１４】
また第２ブラケット９には一部に横方向に張出させた係止片９ｂを有し、該係止片９ｂには、前記軸２の割溝２ｂに一端を係止させた第２渦巻バネ１２の他端を係止して、該第２渦巻バネ１２によって第２ブラケット９を介して背もたれブラケットＢを前倒方向に作用させる。
【００１５】
前記作動板５には先端側に一対のへ字状のカム孔１３，１３ａを設け、該夫々のカム孔１３，１３ａには、第１ブラケット１に設けて隆出させた軸１４，１４に夫々一端を嵌挿させた案内部材１５，１５からの先端のピン１５ａ，１５ａを嵌め、作動板５の揺動動作で軸１４，１４を中心にしてカム孔１３，１３ａに嵌めたピン１５ａ，１５ａを介して案内部材１５，１５に揺動運動をあたえて、ロックプレート４の係合歯４ｂとセクターギヤ７の噛合時にロックプレート４の先端側の両側に設けた凹入部４ｆを挾持して「ブレ」を防止するようにすると共に、カム体６の押上げカム部６ａはロックプレート４の受片４ｃを押上げる。
【００１６】
更に、操作板１０を作動して作動板５に揺動をあたえて挾持状態を解除するには、前記カム孔１３，１３ａに嵌められた案内部材１５，１５からのピン１５ａ，１５ａにより、ピン１５ａ，１５ａはカム孔１３，１３ａに案内されて移動し、軸１４，１４を中心に案内部材１５，１５は揺動し、ロックプレート４の両側の挾持状態を解除すると共に、作動板５と一体のカム体６の押上げカム部６ａは、ロックプレート４の受片４ｃから外れて押上げを解除すると、ロックプレート４に設けたピン４ｄにカム体６の押下げカム部６ｂが作用してロックプレート４を案内溝３と、軸２を嵌めた長孔４ａによって案内されて押下げれられて前記係合歯４ｂと係止歯７の噛合いは解除されて第２ブラケット９を介して背もたれブラケットＢは軸２を中心に自由状態になる。
【００１７】
図５は別の実施例を示したもので、第１実施例と異なる部分は、第１実施例で揺動してロックプレート４を挾持する案内部材１５，１５は一対設け、該ロックプレート４の両側を案内部材１５，１５により挾持してロックプレート４の振れを防いでいたが、第２実施例では、一方の案内部材１５は予め第１ブラケット１に固定して、他方の案内部材１５だけが作動板５に設けたカム孔１３に沿って揺動させ、固定した案内部材１５と他方の可動案内部材１５によってロック中にはロックプレート４を挾持する。更に、ロックプレート４は第１実施例はカム体６に設けた押下げカム部６ｂとロックプレート４に設けたピン４ｄによって押下げていたが、第２の実施例では作動板５に設けた三角形状のカム孔６とロックプレート４に設けたピン１８によって押下げる構成であり、その他の点では異なることがないので省略する。
【００１８】
【発明の効果】
本発明は上述のように、第１ブラケットの中央部には軸を設けると共に軸を間として案内溝を設け、該案内溝内には、前記軸を嵌める長孔と先端にセクターギヤの内側に設けた係止歯と係脱する係合歯を設けたロックプレートを移動可能に摺嵌してある。しかし案内溝では、案内壁とロックプレートの間は移動するために隙間が必要となる。従って、この隙間が第２ブラケットを取付けた背もたれブラケットに「ガタ」を生じさせており、本発明は作動板に設けて協動するカム部によって、ロックプレート押上げ係止歯と係合歯の噛合い位置で、ロックプレートの内側を、第１ブラケット側に設けた案内部材で挾み込み、隙間をなくして「ガタ」を防ぐことができ、また、噛合を解除する時には挾み込みを解除してロックプレートの移動を容易にして操作性をよくし、更に、ロックプレート案内溝では、ロックプレートに設けた長孔に軸を嵌めて案内溝に沿ってロックプレートを移動させて噛合せ、この時上部側に案内部材で挾み込むため、ロックプレートの強度は増大でき確実に噛合せると共に強度を確保できる効果がある。
【図面の簡単な説明】
【図１】本発明に係るリクライニング装置の一実施例を示した側面図である。
【図２】図１の一部の拡大図で、ロックプレートの係合歯とセクターギヤの係止歯の噛合時の状態を示したものである。
【図３】図２のＸ−Ｘ線の縦断面図である。
【図４】図２の噛合状態から噛合を解除した状態図である。
【図５】リクライニング装置の別のリクライニング構造を示した一部を切欠した側面図である。
【符号の説明】
１                    第１ブラケット
１ａ，９ａ            軸孔
２，１４              軸
２ａ                  フランジ
２ｂ                  割溝
３                    案内溝
３ａ，４ｅ            段部
４                    ロックプレート
４ａ                  長孔
４ｂ                  係合歯
４ｃ                  受片
４ｄ，１５ａ，１８    ピン
４ｆ                  凹入部
５                    作動板
５ａ                  係合孔
６                    カム体
６ａ                  押上げカム部
６ｂ                  押下げカム部
７                    セクターギヤ
７ａ                  係止歯
８                    段付ピン
９                    第２ブラケット
９ｂ，１０ａ          係止片
１０                  操作板
１０ｂ                操作レバー
１１                  第１渦巻バネ
１２                  第２渦巻バネ
１３，１３ａ，１６    カム孔
１５                  案内部材
Ａ                    固定ブラケット
Ｂ                    背もたれブラケット
【図１】
0003653137.tif 000002
【図２】
0003653137.tif 000003
【図３】
0003653137.tif 000004
【図４】
0003653137.tif 000005
【図５】
0003653137.tif 000006